(57)【要約】      （修正有）【課題】火力調節、炭の追加作業、残炭の排出作業が容易なバーベキューコンロを提供する。【解決手段】網台を円柱状支柱一本にスライド式で固定するため、高さ調整範囲が広くなり作業も簡単になる。また、支柱を軸に回転が可能になり、網台を左右にずらすことによって、炭の追加作業の負担が軽減される。炭台の底は中心部に向かって下がり勾配で、中心部に空気取り入れ口を兼用した炭の排出口がある。中心部に排出口を設けることで簡単に炭の排出ができ、後片付けの時間が大幅に短縮される。【選択図】図１
0003148631.tif 000002
【実用新案登録請求の範囲】
【請求項１】
少なくとも３本の脚でほぼ水平に支えられた皿状の炭台と、前記炭台の縁部に鉛直上方に固定された一本の円柱状の支柱と、前記支柱に上下方向移動可能に嵌合したスリーブに取り付けられ前記炭台の上方にほぼ水平に支持された網台と、前記スリーブを任意の高さで固定する手段で構成されたことを特徴とするバーベキュコンロ。
【請求項２】
前記スリーブの下方に、落下防止用カラーを上下位置調節可能に取付け、前記スリーブの固定手段を開放することによりスリーブが落下防止用カラーに支えられながら前記支柱周りに回動可能となり、スリーブに取り付けられた網台を炭台上部から回動して退避できることを特徴とするバーベキュコンロ。
【請求項３】
炭台が中心部に向かって下がり勾配になっており、中心部に空気取り入れ口と残炭排出を兼ねた穴があり、該穴内に上端に鍔の付いた管状の部品を下方に向けて嵌め、該鍔上にメザラが置かれ、該メザラより小さくなった炭は前記筒を通って下に置かれた容器に入り、後片付けの際には前記メザラを開けることによって、残炭を容易に前記容器に移すことが出来ることを特徴とするバーベキュコンロ。
【考案の詳細な説明】
【技術分野】
【０００１】
本考案は、火力調整、炭の追加作業、残炭の排出作業が容易なバーベキュコンロに関するものである。
【背景技術】
【０００２】
従来一般に使用されているバーベキュコンロは、木炭などの火力調節が困難な燃料を使用し、網の高さを調節することで燃料からの距離を変化させ火力を調整しているが、調整範囲はきわめて狭く自由に出来ない。
【０００３】
炭の追加作業は、熱くなった網を一度炭台上から下ろす作業が必要となり、やけどの危険にさらされる。また、焼きあがった食材を熱い網の上に長時間のせたままにすると焦げる原因になるため、あわてて皿や容器に移さなければならない。
【０００４】
バーベキュ終了後、残炭は火バサミで取り出すか、さめた状態まで待ち炭台を逆さにして取り出すというわずらわしい作業が必要になる。
【０００５】
特許文献１には、網載せ棒をクランク状に形成し、クランクの角度をウォームギヤにより調節することにより網の高さを連続的に調節できるコンロが提案されている。
【特許文献１】実開平７−３９７２５
【考案の開示】
【考案が解決しようとする課題】
【０００６】
上記特許文献１では、クランクの形状によって火力調整範囲が決まってしまい、極端に高さを上げる場合対応できない。また、網がコンロに乗せてある形になり、火力が強すぎて網の上の食材を焦がしそうになった時や、火力が弱くなり炭を追加する場合は、網を両手で持ち上げ移動させなければならない。バーベキュ終了後はコンロ内に残った炭は火バサミで取り出すか、さめた状態まで待ち炭台を逆さにして取り出すというわずらわしい作業が必要になり片付け作業に手間がかかる。
本考案は、上記のような課題に着目して、網台の高さ調整範囲を拡大し、炭台上の網台を片手で移動出来るようにし、炭の後始末を簡単にするバーベキュスタンドを提供することを目的とする。
【課題を解決するための手段】
【０００７】
本考案は、網台を片持ち支持にしたことと、炭台を中心部に向かって傾斜にして排出口を設けたことを特徴とする。
その具体的な構造は、水平に支えられた皿状の炭台の縁部に鉛直上方に固定した一本の支柱と、前記支柱に上下方向移動可能に嵌合したスリーブに取り付けた網台と、前記スリーブを任意の高さで固定する手段で構成した。
前記スリーブの下方に、落下防止用カラーを上下位置調節可能に取付けることにより、スリーブが落下防止用カラーに支えられながら前記支柱周りに回動可能となり、スリーブに取り付けられた網台を炭台上部から退避できる。
炭台が中心部に向かって下がり勾配になって、中心部に空気取り入れ口と残炭排出を兼ねた穴があり、鍔の付いた筒状の部品を下方に向かって嵌め、その上にメザラを置き、メザラより小さくなった炭は前記筒を通って下に置かれた容器に入り、後片付けの際には前記メザラを開けることによって、残炭を容易に排出できるようにした。
【考案の効果】
【０００８】
網台を支柱への片持ち支持にすることによって高さ調整が簡単になり、支柱の高さを高くすることによって調整範囲も大きくなる利点がある。
【０００９】
網台を支柱への片持ち支持にすることによって支柱を軸に回転が可能になり、片手で簡単に網を移動させることができる。また、手を離してもその角度で停止でき、焼きすぎによる焦げが無くなり、炭の追加作業がし易くなる利点がある。
【００１０】
炭台の中心部に排出口を設けることで、バーベキュ終了後炭台を逆さにすることなく、直ぐに炭の後片付けができる利点がある。
【考案を実施するための最良の形態】
【００１１】
本考案は、支柱１と脚２によって炭台４をほぼ水平に固定し、支柱１にスリーブ５を嵌め、スリーブ５に固定した網台３が炭台４の上方にほぼ水平に保持され、スリーブ５に取り付けた網台固定ボルト１０により、網台３は支柱１に固定される。
安全のために落下防止カラー６によって支えられた構造になっていて、使用しないときは固定用ボルト１０〜１２を緩めることによってすべて分解できる。
【００１２】
図１、２では支柱１は脚と網台固定用支柱を兼ねているため、他の２本の脚２よりも長くなっているが、場合によっては脚を独立して３本以上設けて、支柱を脚の上に繋ぐか、又は炭台４に固定しても良い。
また、網台３は支柱１を軸に回転するため、重心変化があっても倒れないようにすべての脚の下端には大き目のプレート２ａが装着されている。
【００１３】
網台３はパイプ状のスリーブ５を支柱１に通して固定ボルト１０を締めることによって固定されている。
スリーブ５の下には網台落下防止用カラー６が固定ボルト１１によって固定されている。
火力調整のため網台３を上げる場合は、網台固定ボルト１０を緩め、希望の高さまで持ち上げ、固定ボルト１０を締める。その後落下防止カラー６も同様に持ち上げ固定する。
網台３を下げる場合は、落下防止カラー６を希望の高さまで下ろして固定し、その後に網台固定ボルト１０を緩め、網台を下ろし固定する。これにより高さ調整範囲は最低で炭台の高さ、高いところは支柱の長さいっぱいまで可能になる。
【００１４】
網台固定用ボルト１０を緩めることによって、支柱１を軸に網台３を左右思い通りに動かせることができる。また、手を離してもその角度位置を保っているので網の置き場所に困ることも無く、炭の追加作業や食材の焦げ付き防止が可能になる。
【００１５】
炭台４は、脚２又は支柱１に固定ボルト１２によってほぼ水平に固定され、外周は炭が外にこぼれないよう立ち上がり、底は中心部に向かって下がり勾配で、中心部には空気取り入れ口を兼用した炭の排出口４ａがある。炭の排出口の上には、大きい炭が落ちないようメザラ７が取り付けられている。バーベキュが終わり次第このメザラ７を外すことによって、炭が排出口から取り出すことが可能で作業が簡単である。
【００１６】
さらに、炭台の排出口４ａに上縁に鍔８ａの付いた管状部品８を装着し、その上にメザラ７を置くことによって、排出口から落ちる灰の飛散を防ぐとともに、煙突効果によって炭台への空気が効果的に供給される。
【００１７】
尚、図１、２では、支柱１及び脚２と、炭台４、スリーブ５、カラー６の固定方法を、それぞれ支柱などの軸に直角にボルト１０〜１２を締め込んで固定する方法を示したが、固定方法はこれに限らず、所定の間隔に設けた穴にピンを貫通させる方法や、スリーブに縦のスリットを設けて、スリットを挟んで一対の板状の突出部を対向して設け、突出部をボルトで締めて支柱などを締め付ける方法でも良い。
【図面の簡単な説明】
【００１８】
【図１】本考案によるバーベキュコンロの外観図である。
【図２】本考案によるバーベキュコンロの組立方法を示した説明図である。
【符号の説明】
【００１９】
１    支柱
２    脚
２ａ  脚下端のプレート
３    網台
４    炭台
４ａ  空気穴兼炭の排出口
５    スリーブ
６    網台落下防止用カラー
７    メザラ
８    管状部品
８ａ  鍔
９    テーブル
１０  網台固定ボルト
１１  カラー固定ボルト
１２  脚又は支柱固定ボルト
【図１】
0003148631.tif 000003
【図２】
0003148631.tif 000004
【手続補正書】
【提出日】平成20年12月5日(2008.12.5)
【手続補正１】
【補正対象書類名】実用新案登録請求の範囲
【補正対象項目名】全文
【補正方法】変更
【補正の内容】
【実用新案登録請求の範囲】
【請求項１】
少なくとも３本の脚でほぼ水平に支えられた皿状の炭台と、前記炭台の縁部に鉛直上方に固定された一本の円柱状の支柱と、前記支柱に上下方向移動可能に嵌合したスリーブに取り付けられ前記炭台の上方にほぼ水平に支持された網台と、前記スリーブを任意の高さで固定する手段で構成されたことを特徴とするバーベキュコンロ。
【請求項２】
前記スリーブの下方に、落下防止用カラーを上下位置調節可能に取付け、前記スリーブの固定手段を開放することによりスリーブが落下防止用カラーに支えられながら前記支柱周りに回動可能となり、スリーブに取り付けられた網台を炭台上部から回動して退避できることを特徴とする請求項１に記載したバーベキュコンロ。
【請求項３】
炭台が中心部に向かって下がり勾配になっており、中心部に空気取り入れ口と残炭排出を兼ねた穴があり、該穴内に上端に鍔の付いた管状の部品を下方に向けて嵌め、該鍔上にメザラが置かれ、該メザラより小さくなった炭は前記筒を通って下に置かれた容器に入り、後片付けの際には前記メザラを開けることによって、残炭を容易に前記容器に移すことが出来ることを特徴とする請求項１又は請求項２に記載したバーベキュコンロ。